(57)【特許請求の範囲】
【請求項１】
弾性を有するガスケットの雌ネジ部と螺合する雄ネジ部を先端部に備え、
雄ネジ部は、円柱状又は円筒状に形成されるベース体の外周部に、螺旋状に延設されるネジ山を備え、
ネジ山は、複数のネジ片が並設されることにより、断続的に配置されるプランジャーロッドであって、
ネジ山の延びる方向で、該ネジ山を構成するネジ片と同列となる様にネジ片間に配置された突出部であって、ベース体の外周部から突出する突出部を備え、
突出部は、雌ネジ部のネジ山と係合すべく、雄ネジ部のネジ溝内に位置する係合部を備えると共に、係合部と係合することで弾性変形する雌ネジ部のネジ山を、ネジ片との間に逃がすべく、各ネジ片と離間して配置されることを特徴とするプランジャーロッド。
【請求項２】
突出部は、対峙するように少なくとも一対設けられると共に、雌ネジ部のネジ山を挟持することで変形させるべく、対峙する面が平行となるように延設される請求項１に記載のプランジャーロッド。
【請求項３】
突出部は、基端側の面がベース体の径方向と平行になるように延設される請求項１又は２に記載のプランジャーロッド。
【請求項４】
筒状のシリンジ本体と、雌ネジ部を有し、シリンジ本体内に挿入される弾性のガスケットと、請求項１〜３の何れか１項に記載のプランジャーロッドとを備えることを特徴とするシリンジ。
【発明の詳細な説明】
【技術分野】
【０００１】
本発明は、弾性を有するガスケットの雌ネジ部と螺合する雄ネジ部を先端部に備えるプランジャーロッドに関し、また、当該プランジャーロッドとを備えるシリンジに関する。
【背景技術】
【０００２】
従来、プランジャーロッドとして、弾性を有するガスケットの雌ネジ部と螺合する雄ネジ部を先端部に備えるプランジャーロッドが知られている。そして、雄ネジ部と雌ネジ部とが緩むのを防止すべく、雄ネジ部のネジ溝内に突出部が設けられるプランジャーロッドが提案されている（例えば、特許文献１）。
【先行技術文献】
【特許文献】
【０００３】
【特許文献１】特開２００７−２６７９０６号公報
【発明の概要】
【発明が解決しようとする課題】
【０００４】
しかしながら、特許文献１に係るプランジャーロッドにおいては、雄ネジ部のネジ溝内に突出部が設けられているため、ガスケットの雌ネジ部が突出部により径方向外方に向けて拡がるように弾性変形する。これにより、例えば、ガスケットの外周部、即ち、シール部までもが変形すると、ガスケットのシール性等に影響を及ぼすことになる。
【０００５】
よって、本発明は、斯かる事情に鑑み、プランジャーロッドの雄ネジ部とガスケットの雌ネジ部とが緩むのを防止できると共に、ガスケットのシール部が変形するのを抑制できるプランジャーロッド及びシリンジを提供することを課題とする。
【課題を解決するための手段】
【０００６】
本発明に係るプランジャーロッドは、弾性を有するガスケットの雌ネジ部と螺合する雄ネジ部を先端部に備え、雄ネジ部は、円柱状又は円筒状に形成されるベース体の外周部に、螺旋状に延設されるネジ山を備え、ネジ山は、複数のネジ片が並設されることにより、断続的に配置されるプランジャーロッドであって、ネジ山の延びる方向で、該ネジ山を構成するネジ片と同列となる様にネジ片間に配置された突出部であって、ベース体の外周部から突出する突出部を備え、突出部は、雌ネジ部のネジ山と係合すべく、雄ネジ部のネジ溝内に位置する係合部を備えると共に、係合部と係合することで弾性変形する雌ネジ部のネジ山を、ネジ片との間に逃がすべく、各ネジ片と離間して配置されることを特徴とする。
【０００７】
本発明に係るプランジャーロッドによれば、雄ネジ部のネジ山が断続的に配置されるように複数並設されているネジ片間に、ベース体の外周部から突出する突出部が配置されている。そして、突出部に設けられる係合部が雄ネジ部のネジ溝内に位置しているため、雄ネジ部と雌ネジ部とが螺合すると、係合部が雌ネジ部のネジ山と係合する。さらに、突出部が各ネジ片と離間して配置されているため、係合部と係合することで弾性変形する雌ネジ部のネジ山を、突出部とネジ片との間に逃がすことができる。
【０００８】
また、本発明に係るプランジャーロッドにおいては、突出部は、対峙するように少なくとも一対設けられると共に、雌ネジ部のネジ山を挟持することで変形させるべく、対峙する面が平行となるように延設されてもよい。
【０００９】
斯かる構成のプランジャーロッドによれば、突出部が対峙するように少なくとも一対設けられる。そして、対峙する面が平行となるように、突出部が延設されているため、一対の突出部が雌ネジ部のネジ山を挟持することで雌ネジ部のネジ山を変形させる。これにより、雌ネジ部のネジ山においては、変形した部位がネジ山を補強するリブとして機能するため、雌ネジ部のネジ山の剛性が向上し、その結果、例えば、ガスケットが雄ネジ部から抜けるのを防止できる。
【００１０】
また、本発明に係るプランジャーロッドにおいては、突出部は、基端側の面がベース体の軸心方向と直交するように延設されてもよい。
【００１１】
斯かる構成のプランジャーロッドによれば、基端側の面がベース体の軸心方向と直交するように、突出部が延設されている。これにより、ガスケットとプランジャーロッドとが軸心方向で離反するように付勢された場合に、突出部の基端側の面が付勢された方向と直交しているため、突出部の基端側の面が雌ネジ部のネジ山を確実に係止でき、その結果、ガスケットが雄ネジ部から抜けるのを防止できる。
【００１２】
また、本発明に係るシリンジは、筒状のシリンジ本体と、雌ネジ部を有し、シリンジ本体内に挿入される弾性のガスケットと、前記プランジャーロッドとを備えることを特徴とする。
【発明の効果】
【００１３】
以上の如く、本発明に係るプランジャーロッド及びシリンジによれば、プランジャーロッドの雄ネジ部とガスケットの雌ネジ部とが緩むのを防止できると共に、ガスケットのシール部が変形するのを抑制できるという優れた効果を奏する。
【図面の簡単な説明】
【００１４】
【図１】本発明の一実施形態に係るシリンジの全体図であって、（ａ）は正面図、（ｂ）はＡ−Ａ線における断面図を示す。
【図２】同実施形態に係るガスケットの全体図であって、（ａ）は正面図、（ｂ）はＢ−Ｂ線における断面図を示す。
【図３】同実施形態に係るプランジャーロッドの全体図であって、（ａ）は平面図、（ｂ）は正面図、（ｃ）はＣ−Ｃ線における断面図、（ｄ）はＤ−Ｄ線における断面図を示す。
【図４】同実施形態に係るプランジャーロッドの要部図であって、（ａ）は図３（ｂ）のＥ領域の拡大図、（ｂ）はＦ−Ｆ線における断面図を示す。
【図５】同実施形態に係るプランジャーロッドにおける作用を説明する図であって、（ａ）及び（ｂ）はそれぞれ要部正面図を示す。
【図６】本発明の他の実施形態に係るプランジャーロッドの要部図であって、（ａ）〜（ｃ）はそれぞれ正面図、（ｄ）はＧ−Ｇ線における断面図を示す。における断面図を示す。
【発明を実施するための形態】
【００１５】
以下、本発明に係るシリンジ及びプランジャーロッドにおける一実施形態について、図１〜図５を参酌して説明する。
【００１６】
シリンジは、図１〜図４に示すように、筒状のシリンジ本体１と、シリンジ本体１内の液体Ｘを封止すべく、シリンジ本体１内に挿入される弾性のガスケット２と、ガスケット２の雌ネジ部２１と螺合する雄ネジ部３１を有するプランジャーロッド３と、シリンジ本体１のノズル部１１を密閉するキャップ４とを備える。なお、プランジャーロッド３にガスケット２を結合したものをプランジャーという。
【００１７】
ここで、シリンジの各構成を説明するのに先立って、シリンジの製造方法について、概略を説明する。薬液充填済みシリンジ、所謂、プレフィルドシリンジは、キャップ４でノズル部１１が密閉されたシリンジ本体１内に、液体（薬液等）Ｘを充填し、さらに、ガスケット２を基端側からシリンジ本体１に挿入した後に、プランジャーロッド３をガスケット２に結合することで製造される。
【００１８】
シリンジ本体１は、先端部がノズル部１１に連結される円筒状の胴部１２と、胴部１２の基端部に配置される板状のフランジ１３とを備える。そして、ノズル部１１は、胴部１２からテーパ状に突出し、例えば、針管のハブやコネクタ類等が嵌合（装着）される。また、フランジ１３は、プランジャーロッド３をシリンジ本体１に対して相対的に移動させる際に、指を掛けるのに用いられる。なお、シリンジ本体１は、剛性を有し、例えば、内視可能な透明なガラスや透明な硬質樹脂（プラスチック等）で形成されている。
【００１９】
ガスケット２は、先端側が閉塞される円筒状に形成され、雌ネジ部２１が内周部に形成されるガスケット本体２２と、シリンジ本体１の内周をシールすべく、ガスケット本体２２の外周部に周方向に沿って突出するシール部２３，２３，２３とを備える。そして、ガスケット２は、外径がシリンジ本体１（胴部１２）の内径に対応して設定されており、各シール部２３（或いはガスケット本体２２の外周部及び各シール部２３）が弾性変形（圧縮）されてシリンジ本体１（胴部１２）の内部と密着するように構成されている。
【００２０】
雌ネジ部２１は、ガスケット本体２２の内周部から突出し、ガスケット本体２２の内周部に沿って螺旋状に配置されるネジ山（以下「雌ネジ山」ともいう）２１１と、雌ネジ山２１１間の軸心方向における空間であるネジ溝（以下「雌ネジ溝」ともいう）２１２とを備える。
【００２１】
本実施形態においては、雌ネジ山２１１は、山頂（ネジ山の両側のフランク（面）を連絡する面）及び谷底（ネジ溝の両側のフランク（面）を連絡する面）に丸みの付いた丸ねじ形状としている。なお、ガスケット２は、弾性を有し、例えば、弾性樹脂（ゴム等）で形成されている。
【００２２】
プランジャーロッド３は、長尺に形成されると共に長手方向に沿う凹部３２１を有するロッド本体３２と、ロッド本体３２の先端部に連結され、雄ネジ部３１が外周部に設けられる円柱状のベース体３３とを備える。また、プランジャーロッド３は、ベース体３３の外周部から突出する複数の突出部３４，…と、ロッド本体３２の基端部に配置される板状のフランジ３５とを備える。なお、プランジャーロッド３は、剛性を有し、例えば、硬質樹脂（プラスチック等）で形成されている。
【００２３】
雄ネジ部３１は、ベース体３３の外周部から突出し、ベース体３３の外周部に沿って螺旋状に配置されるネジ山（以下「雄ネジ山」ともいう）３１１と、雄ネジ山３１１間の軸心方向における空間であるネジ溝（以下「雄ネジ溝」ともいう）３１２とを備える。本実施形態においては、雄ネジ山３１１は、山頂及び谷底に丸みの付いた丸ねじ形状としている。そして、雄ネジ山３１１は、複数のネジ片３１１ａ，…が並設されることにより、断続的に配置されている。
【００２４】
各突出部３４は、雌ネジ部２１の雌ネジ山２１１と係合すべく、雄ネジ部３１の雄ネジ溝３１２内に位置する係合部３４１を備える。そして、各突出部３４は、雄ネジ山３１１におけるネジ片３１１ａ，３１１ａ間に配置される。さらに、各突出部３４は、係合部３４１と係合することで弾性変形する雌ネジ部２１の雌ネジ山２１１を、ネジ片３１１ａとの間に逃がすべく、各ネジ片３１１ａと離間して配置される。
【００２５】
また、突出部３４，…は、ベース体３３の所定位置（正面側）で、軸心方向にて対峙するように一対並設されていると共に、その反対側の位置（背面側）でも、軸心方向にて対峙するように一対並設されている。そして、各一対の突出部３４，３４は、雌ネジ部２１の雌ネジ山２１１を挟持することで弾性変形させるべく、対峙する面が平行となるように延設されている。
【００２６】
具体的には、各突出部３４は、一定の厚みを有する平板状に形成されると共に、外縁が軸心方向で雄ネジ山３１１の外縁（山頂）と一致するように円弧状に形成される。そして、各突出部３４は、先端側及び基端側の面がそれぞれベース体３３の軸心方向と直交するように配置されている。したがって、各突出部３４は、先端側及び基端側の面がそれぞれ雄ネジ山３１１の稜線と傾斜して交差するように配置されている。
【００２７】
各係合部３４１は、ガスケット２がプランジャーロッド３から緩む方向（外れる方向）で回動する際に、雌ネジ山２１１を掛止する角部３４１ａを備える。なお、本実施形態においては、雌ネジ山２１１が雄ネジ山３１１の基端側のフランク（面）に密着するように設定されているため、係合部３４１は、雄ネジ溝３１２の先端側のみに配置されている。
【００２８】
以上より、本実施形態に係るシリンジ及びシリンダーロッド３によれば、雄ネジ山３１１において複数並設されているネジ片３１１ａ，３１１ａ間に、ベース体３３の外周部から突出する突出部３４が配置されている。そして、突出部３４に設けられる係合部３４１が雄ネジ溝３１２内に位置しているため、雄ネジ部３１と雌ネジ部２１とが螺合すると、図５に示すように、係合部３４１が雌ネジ山２１１と係合する。
【００２９】
これにより、雌ネジ山２１１が径方向外方に向けて拡がる（潰れる）ように変形する一方で、係合部３４１には、雌ネジ山２１１の弾性力（復元力）が働く。したがって、雌ネジ山２１１が係合部３４１に食い込むため、プランジャーロッド３の雄ネジ部３１とガスケット２の雌ネジ部２１とが緩むのを防止できる。
【００３０】
なお、図５（ａ）においては、雄ネジ部３１と雌ネジ部２１とが螺合した際に、仮に、雌ネジ山２１１が弾性変形していない場合の位置を示すべく、円周方向に沿った断面形状の外縁を二点鎖線で示している。また、図５（ｂ）においては、雄ネジ部３１と雌ネジ部２１とが螺合した際に、雌ネジ山２１１が弾性変形している状態を示すべく、円周方向に沿った断面形状を実線及び斜線部で示している。
【００３１】
さらに、本実施形態に係るシリンジ及びシリンダーロッド３によれば、突出部３４が各ネジ片３１１ａと離間して配置されているため、係合部３４１と係合することで弾性変形した雌ネジ山２１１を、突出部３４１とネジ片３１１ａとの間に逃がすことができる。これにより、ガスケット２の各シール部２３が変形するのを抑制できる。しかも、雌ネジ山２１１が突出部３４１及びネジ片３１１ａ間に食い込むため、プランジャーロッド３の雄ネジ部３１とガスケット２の雌ネジ部２１とが緩むのを効果的に防止できる。
【００３２】
また、本実施形態に係るシリンジ及びプランジャーロッド３によれば、対峙する一対の突出部３４，３４の対峙する面が平行となるよう配置されているため、一対の突出部３４，３４の対峙する面が雌ネジ山２１１を挟持することにより、一対の突出部３４，３４が雌ネジ山２１１を弾性変形させる。
【００３３】
これにより、雌ネジ山２１１においては、変形した部位がリブ（補強部）として機能するため、雌ネジ山２１１の剛性が向上する。したがって、プランジャーロッド３の雄ネジ部３１とガスケット２の雌ネジ部２１とが緩むのをさらに効果的に防止できたり、ガスケット２がプランジャーロッド３の雄ネジ部３１から抜けるのを防止できたりする。
【００３４】
また、例えば、シリンジ本体１内にガスケット２が挿入された状態から、プランジャーロッド３を基端側に向けて引くと、シリンジ本体１及びガスケット２間に発生する摩擦力により、ガスケット２とプランジャーロッド３とが軸心方向で離反するように付勢される。
【００３５】
しかしながら、本実施形態に係るシリンジ及びプランジャーロッド３によれば、突出部３４の基端側の面がベース体３３の軸心方向と直交して配置されているため、突出部３４の基端側の面が付勢される方向と直交している。したがって、突出部３４の基端側の面が雌ネジ山２１１を確実に係止できるため、ガスケット２が軸心方向でプランジャーロッド３の雄ネジ部３１から抜けるのを防止できる。
【００３６】
なお、本発明に係るシリンジ及びプランジャーロッドは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３７】
例えば、本発明に係るシリンジ及びプランジャーロッドは、ベース体３３から外方に向けて突出し、突出部３４とネジ片３１１ａとを連結する小突起片を備える場合でもよい。要するに、突出部３４とネジ片３１１ａとを連結する小突起片が設けられる場合でも、離間して配置される突出部３４とネジ片３１１ａとの間に、係合部３４１と係合することで弾性変形する雌ネジ山２１１が逃げることができるように構成されていればよい。
【００３８】
また、上記実施形態に係るシリンジ及びプランジャーロッド３においては、突出部３４，３４が軸心方向にて対峙するように一対並設されている場合を説明したが、斯かる場合に限られない。具体的には、突出部は、対峙することなく複数設けられる場合でもよく、また、図６（ａ）に示すように、突出部３４ｂは、一つ設けられる場合でもよい。
【００３９】
また、上記実施形態に係るシリンジ及びプランジャーロッド３は、各突出部３４が板状に形成される場合を説明したが、斯かる場合に限られず、例えば、図６（ａ）に示すように、突出部３４ｂは、角柱状に形成される場合でもよい。
【００４０】
また、上記実施形態に係るシリンジ及びプランジャーロッド３においては、各突出部３４が雄ネジ溝３１２の先端側のみに係合部３４１を配置する場合を説明したが、斯かる場合に限られない。例えば、突出部は、雄ネジ溝３１２の基端側のみに、係合部を配置する場合でもよい。
【００４１】
さらに、図６（ｂ）に示すように、突出部３４ｃは、軸心方向の一方側に突出することで、雄ネジ溝３１２の先端側及び基端側の双方に、係合部３４１ｃを配置する場合でもよい。加えて、また、図６（ｃ）に示すように、突出部３４ｄは、軸心方向の両方側にそれぞれ突出することで、雄ネジ溝３１２の先端側及び基端側の双方に、係合部３４１ｄ，３４１ｄを配置する場合でもよい。
【００４２】
また、上記実施形態に係るシリンジ及びプランジャーロッド３は、各突出部３４が周方向（螺旋方向）において一定の厚みで形成される場合を説明したが、斯かる場合に限られず、突出部は、雄ネジ山３１１の先端側から基端側に沿って、テーパ状に形成される場合でもよい。例えば、突出部は、三角形状に形成される場合でもよく、また、図６（ｃ）に示すように、突出部３４ｄは、台形状に形成される場合でもよい。
【００４３】
斯かる構成によれば、ガスケットをプランジャーロッドに取り付ける際に、ガスケットを締める方向に回転させても、テーパ状である突出部３４ｄがそれほど抵抗とはならない。その上、ガスケットがプランジャーロッドに取り付けられた後、ガスケットが緩む方向に回転しようとしても、突出部３４ｄの係合部３４１ｄが雌ネジ山２１１と係合するため、プランジャーロッドの雄ネジ部３１とガスケットの雌ネジ部２１とが緩むのを防止できる。
【００４４】
また、上記実施形態に係るシリンジ及びプランジャーロッド３においては、突出部３４の外縁が軸心方向で雄ネジ山３１１の外縁と一致するように円弧状に形成される場合を説明したが、斯かる場合に限られない。例えば、図６（ｄ）に示すように、突出部３４ｅは、雄ネジ山３１１よりも大径に形成され、径方向において雄ネジ山３１１の山頂よりも外方に位置する係止部３４２ｅを備える場合でもよい。
【００４５】
斯かる構成によれば、ガスケットがプランジャーロッドに取り付けられると、係止部３４２ｅが雌ネジ溝２１２を径方向外方に拡げるように弾性変形させるため、雌ネジ溝２１２が弾性力（復元力）により係止部３４２ｅに食い込み、その結果、プランジャーロッドの雄ネジ部３１とガスケットの雌ネジ部２１とが緩むのを防止できる。
【００４６】
また、上記実施形態に係るシリンジは、雄ネジ部３１のベース体３３が円柱状に形成される場合を説明したが、斯かる場合に限られず、例えば、ベース体は、円筒状に形成され、ガスケット本体から軸心方向の内方に突出する突起部を外嵌合する場合でもよい。
【００４７】
また、上記実施形態に係るシリンジは、液体Ｘが充填されている場合を説明したが、斯かる場合に限られず、液体Ｘが充填されていない場合でもよい。
【符号の説明】
【００４８】
１…シリンジ本体、２…ガスケット、３…プランジャーロッド、２１…雌ネジ部、３１…雄ネジ部、３３…ベース体、３４、３４ｂ、３４ｃ、３４ｄ、３４ｅ…突出部、２１１…（雌）ネジ山、２１２…（雌）ネジ溝、３１１（雄）ネジ山、３１１ａ…ネジ片、３１２…（雄）ネジ溝、３４１、３４１ｂ、３４１ｃ、３４１ｄ…係合部
【図１】
0005639769.tif 000002
【図２】
0005639769.tif 000003
【図３】
0005639769.tif 000004
【図４】
0005639769.tif 000005
【図５】
0005639769.tif 000006
【図６】
0005639769.tif 000007